(57)【要約】【課題】コンビニエンスストア−等の店頭において、電子マネーに付与したポイントと電子マネーの、顧客識別情報を利用したポイントサービスを展開して、既存店の活性を図る。【解決手段】上記課題を達成するために、商品やサービスの取引高に応じて加算され、電子マネーに貯めたポイントと電子マネーの決済機能と顧客識別情報を利用して、ポイント専用提供品のバーコ−ドをＰＯＳレジスタでスキャンしてから顧客に渡し、顧客がマルチリーダライタに電子マネーをかざし、ポイントを引き落として精算する。また、店頭に電子マネー専用の複合電話機を設置して、携帯機器の充電、電話をタクシー会社等に接続する、地図情報の提供、インタ−ネット通販サイト接続サービス等を提供する。また、店頭や家庭に身体複合測定機を設置し、顧客の血圧、体温体重等を測定し、健康管理サーバに登録し、データの変化をタッチパネルに表示し、印刷して利用する。【選択図】図３
2008282368.tif 000002
【特許請求の範囲】
【請求項１】
電子マネーで、商品の購入やサービスの取引を行う顧客に取引高に応じてポイントが加算され、加算されたポイントを引き落として、顧客の希望するサービスを行うシステムであって、希望に応じて提供するために専用に作られたサービス品、ポケットテッシュ、ファイル、Ａ４、Ｂ４、サイズの角封筒、Ｂ５、Ａ４、Ｂ４サイズの写真用コピー用紙等にバーコードを印刷し、顧客が希望のサービスを申し込むと、提供品のバーコードをＰＯＳレジスタのスキャナでスキャンし、顧客がＰＯＳレジスタのマルチリーダライタに、電子マネーをかざして電子マネーから、ポイントを引き落として精算してサービス品を提供するシステム。
【請求項２】
店頭にラミネ−タ機を設置し、顧客がラミネ−ト加工を申し込むとＰＯＳレジスタのタッチパネルのラミネ−ト表示に指で触れて、顧客がＰＯＳレジスタのマルチリーダライタに、電子マネーをかざし電子マネーからポイントを引き落として、ラミネート加工サービスを提供するシステム。
【請求項３】
店頭に、ＩＣカードリーダライタとタッチパネルと操作部とプリンタと制御手段と通信手段を備えたＡＴＭの様な複合電話機に、携帯機器充電機と電話機を設置し、顧客がＩＣカードリーダライタに電子マネーを差し込みタッチパネルの充電表示に指で触れ、携帯機器を充電機に接続すると電子マネーからポイントを引き落として、精算し充電するシステム。
【請求項４】
また、顧客が複合電話機のＩＣカードリーダライタに、電子マネーを差し込み受話器を取り上げると、タッチパネルに最寄りの警察署、市役所、病院、大使館、タクシー会社等を表示し、表示に指で触れ電話を接続して電子マネーからポイントを引き落として精算するシステム。
【請求項５】
電子マネーに顧客の国識別情報を記憶して、請求項４の表示を、英語、中国語等、電子マネー所有者の国語で表示するシステム。
【請求項６】
複合電話機の通信手段に携帯電話機能を設け、顧客が地図情報を必要なときは、複合電話機のＩＣカードリーダライタに電子マネーを差し込み、タッチパネルの地図表示に指で触れ訪問先を入力し、携帯電話の道案内サイトに接続して、タッチパネルに地図を表示し、また印刷し、電子マネーからポイントを引き落として精算するシステム。
【請求項７】
複合電話機の通信手段をネットワークに接続して、顧客がＩＣカードリーダライタに電子マネーを差し込み、タッチパネルの買い物表示に指で触れ表示された会社名に指で触れホームページをタッチパネルに表示し、サービスや商品を指定し、また、操作部での暗唱番号の入力と電子マネーに記憶された顧客識別情報で、注文を確定し、申し込み票をプリンタで印刷し後日商品を受け取るときに、ＰＯＳレジスタのスキャナで申し込み票のバーコードと商品に張り付けたバーコードをスキャンして顧客の確認を行い精算するシステム。
【請求項８】
既存の新聞や雑誌等の広告に、コンビニエンスストア−等専用の数字を表示し、顧客が複合電話機のＩＣカードリーダライタに電子マネーを差し込み、タッチパネルの買い物表示に指で触れ広告に表示された数字を入力すると、タッチパネルにホームページを表示し、商品やサービスを指定して操作部での暗唱番号の入力と電子マネ−に記憶された顧客識別情報で注文を確定し、申し込み票をプリンタで印刷し後日商品を受け取るときに、ＰＯＳレジスタのスキャナで申し込み票のバーコードと商品に張り付けたバーコードをスキャンして顧客の確認を行い精算するシステム。
【請求項９】
店頭にＩＣカードリーダライタとタッチパネルとプリンタと操作部と制御手段と通信手段を備えた、ＡＴＭの様な箱に、血圧計、放射温度計、心電計、体重計、体脂肪率計等を備えた、身体複合測定機を設置して、顧客がＩＣカードリーダライタに電子マネーを差し込むと、身体複合測定機が起動しタッチパネルに測定を表示し、測定表示に指で触れて各項目を測定しタッチパネルに表示し、印刷する。また、タッチパネルの健康管理サーバ表示に指で触れ、通信手段で健康管理サーバに接続して電子マネーの顧客識別情報と操作部での暗唱番号入力で、顧客の健康情報を登録するシステム。また、後日医療機関の情報端末のＩＣカードリーダライタに電子マネーを差し込み、暗唱機器での暗唱番号の入力で、健康管理サーバに接続して、顧客の測定値を知り治療するシステム。
【請求項１０】
ＩＣカードリーダライタとタッチパネルとプリンタと操作部と制御手段と通信手段を備えた箱に、血圧計、放射温度計、心電計、血糖測定器、体重計、体脂肪率計等を設置した家庭用身体複合機を開発し顧客がＩＣカードリーダライタに電子マネーを差し込むと、身体複合測定機が起動しタッチパネルの測定表示に、指で触れて各項目を測定しタッチパネルに表示し印刷する。また、タッチパネルの健康管理サ−バ表示に指で触れて、操作部で暗唱番号を入力し、通信手段で健康管理サーバに接続して、顧客の健康情報を登録するシステム。
【請求項１１】
店頭や家庭の身体複合測定機に、半導体ガスセンサ−を使用した口臭測定機と匂いセンサーを使用した体臭測定機を設置して、顧客が口臭や体臭が気になるときに、自己チェックするシステム。
【請求項１２】
頭痛患者が、頭痛の誘因を知るために作成する、頭痛ダイアリーを携帯電話画面から作成できるようにする為に、頭痛を感じたその場で携帯電話の画面で、日時、曜日、時間、場所、天気、匂い、音、人間関係等の状況をチェックして、携帯電話から健康管理サーバに接続して各項目を登録する。後日店頭や家庭の身体複合測定機のＩＣカードリーダライタに電子マネーを差し込み、タッチパネルの頭痛表示に指で触れて、操作部で暗唱番号を入力し通信手段で健康管理サーバに接続して、タッチパネルに頭痛が始まる直前の状況、日時、曜日、時間、天気、行動を分析して表示し印刷する。また、後日医療機関の情報端末から健康管理サーバに接続し頭痛の誘因を知るシステム。
【請求項１３】
パソコンソフトで本格的に歩数管理ができる、ポケットイン歩数計を接続するＵＳＢコネクタ接続端子を、店頭や家庭の身体複合測定機に設けて顧客が接続端子にポケットイン歩数計を接続し、ＩＣカードリーダライタに電子マネーを差し込み、タッチパネルの歩数計表示に指で触れると一日の歩数や消費カロリーを表示し、また、身体複合測定機のタッチパネルの測定表示に指で触れ、体重や血圧を測定し操作部で暗唱番号を入力し通信手段で健康管理サーバに接続して、タッチパネルに歩数、消費カロリー歩行距離等と体重や血圧の変化を表示し、印刷するシステム。
【請求項１４】
医療機関と提携して、医療機関の情報端末のＩＣカードリーダライタに電子マネーを差し込み、暗唱機器で暗唱番号を入力し健康管理サーバに接続し、顧客の血液型や病歴等を登録する。後日病気に掛かったときに医療機関の情報端末のＩＣカードリーダライタに電子マネーを差し込み暗唱機器で暗唱番号を入力し、健康管理サーバに接続して、顧客の血液型や病歴を知り治療するシステム。
【請求項１５】
保険会社と提携し顧客が店頭や家庭の身体複合測定機から、保険会社のサーバに接続し、電子マネーの顧客識別情報と暗唱番号の登録で、保険に入り、電子マネーで精算しプリンタで保険証を印刷するシステム。
【請求項１６】
各国のコンビニエンスストア−等の本部が提携して、同じシシステムを採用して、顧客が各国で同じサービスを受けられるシステム。
【発明の詳細な説明】
【技術分野】
【０００１】本発明は、電子マネーに付与するポイントと電子マネーに記憶された顧客識別情報を使用した、コンビニエンスストア−等で展開する新しいサービスに関するもので、商品やサービスの取引高に応じて加算され電子マネーに貯めたポイントから、少額のポイントを引き落として店頭で行うサービス、または、店頭に設置した器機と電子マネーに記憶された顧客識別情報を利用して、健康管理サーバに顧客の健康情報を登録して行うサービスまた、電子マネーに記憶された顧客識別情報を利用した、インタ−ネットショピッングに関する。
【背景技術】
【０００２】従来、店舗での商品やサービスの取引高に応じてポイントを付与し、加算されたポイント数に応じて値引きや景品との交換等のサービスが普及している。ポイントは貯めて値引きや商品券と交換する発想で電子マネーの決済機能を利用して、少額のポイントを引き落として顧客が希望するサービスを提供するサービスは無い。また、身体複合測定機で血圧や体重等の健康情報を測定し、電子マネーに記憶された顧客識別情報と操作部での暗唱番号の入力で、健康管理サーバに接続して、測定値を登録し顧客が健康な生活を送る為の支援をする。また、医療機関の情報端末から、電子マネーの顧客識別情報と暗唱機器での、暗唱番号の入力で健康管理サーバーに接続して、顧客の血圧や体重等の健康情報の変化を知り病気の治療をするシステムは無く、従来のポイントシステムは、ポイントの付与の仕方と交換する景品に関心があり、また、電子マネーの記憶機能は、顧客の購買履歴分析の為に利用している。
【特許文献】  特開２００３−２７２０５４  特開２００６−４８３３５
【発明の開示】
【発明が解決しようとする課題】
【０００３】本発明の目的は、コンビニエンスストア−等の既存店売り上げ低迷の打開策として、電子マネーに付与したポイントと電子マネーに記憶された顧客識別情報を、利用した新しいサービスを展開して、たばこや切手の購入公共料金の振り込み、宅急便、コピーサービス、ＡＴＭの利用、また、たまに出かけるときに、おにぎりやお茶の購入を習慣とするシニアの顧客に商品の購入でポイントが付きポイントを貯めると、独自のサービスを受けることができるシステムを展開して、シニアの顧客が、おにぎりやお茶以外の商品に目を向けて購入する意欲を与えるものである。現在コンビニエンスストア−等の既存店売り上げ低迷打開の為に加工食品等の定価販売をやめ、市場価格を参考にして売価を設定する等の改革を行っているが顧客に伝わらず、コンビニエンスストア−の商品は高いと思う顧客のイメージは変わらずにいて、出かけるときにおにぎりやお茶を購入するが、他の商品はスーパー等他店で安く購入する思いが顧客にあり多くの顧客が公共料金の振り込み、宅急便、コピーサービス、ＡＴＭの利用等の後、店内の他の商品に目もくれずに帰るので、店内の商品にも目を向ける様にする。【０００４】ポケットテッシュは、必要なときに一袋あれば良いが、売り手の都合でセットで売られている、こうしたポケットテッシュ、ファイル、写真用コピー用紙、大型の角封筒を、顧客が必要とする数だけ、電子マネー専用サービスとして顧客に提供し利便性を高める。【０００５】書類をラミネ−トするニーズは、家庭に於いて少なく家に備えても無駄で置く場所も取る。また、店頭にコインキットを備えた専用機を置いても採算が取れない、そこで電子マネー専用サービスとして顧客に提供し顧客の利便性を高める。【０００６】出先で携帯機器の電池が切れたとき、店頭に携帯機器充電機が無く、顧客が携帯充電器を購入するが資源の無駄になるので、店頭に電子マネーで充電できる携帯機器充電機を設置し顧客の利便性を高める。【０００７】携帯電話が普及している現代に置いても、店頭にタクシーを呼ぶ、近隣の医療機関の休日や診療時間を知る、訪問先の道順を知る等については、相手先の電話番号が分からず困るので、店頭の電話から最寄り機関に接続して、タクシーを呼ぶ等、顧客が必要な情報を知る手助けをして顧客の利便性を高める。【０００８】体重や血圧を適切にコントロールする要点は、毎日計り、記録することである。そこで店頭や家庭に身体複合測定機を設置して、いつでも血圧や体重を測定して、また、電子マネーに記憶された顧客識別情報と暗唱番号の入力で健康管理サ−バに接続して測定結果を登録し、また、タッチパネルに表示し、印刷して顧客が健康情報をチェックするシステムを構築して顧客の利便性を高める。【０００９】頭痛を治療するためには、患者が自分の頭痛のタイプと頭痛が始まるきっかけとなる誘因を知ることが大事で、携帯電話の画面で頭痛ダイアリーを作成し健康管理サーバに登録し、後日身体複合測定機のタッチパネルに分析結果を表示し、印刷して顧客の利便性を高める。【００１０】狭心症や心筋梗塞は、動悸や痛みを感じ病院で診断を求めたときには、症状が治まり普段に戻ることがあり、医師が原因を見逃すことがあるので症状が出たときに店頭や家庭の身体複合測定機で、心電図波形をモニタ−し健康管理サーバに登録し、後日医療機関の情報端末に心電図波形を表示し診断の補助をして、顧客の利便性を高める。【００１１】度々口臭や体臭を指摘されるが、本人は気が付かずに困るので、店頭や家庭の身体複合測定機で、口臭や体臭を自己チェックできるようにして、顧客の利便性を高める。【００１２】店頭や家庭の身体複合測定機に、パソコンソフトで歩数管理ができるポケットイン歩数計接続端子を設置して、ポケットイン歩数計で歩数、消費カロリー、歩行距離等を測定し、健康管理サーバに測定値を登録し顧客の健康管理の補助をして、顧客の利便性を高める。【００１３】Ｅメ−ルアドレス、ＩＤ，パスワード等の言葉を知ら無くても、店頭に設置した機器を使い電子マネーに記憶された顧客識別情報と暗唱番号の登録で、ＡＴＭを利用する要領で、インターネットのショッピングサイトに接続し、だれもが利用できるようにして顧客の利便性を高める。
旅行の前に、店頭や家庭の身体複合測定機から、保険会社のサーバに接続して、保険に入れるようにして、顧客の利便性を高める。
【課題を解決するための手段】
【００１４】上記目的を達成するためにＰＯＳレジスタにマルチリーダライタを設置し、また、電子マネーに付与するポイント専用の提供品、ポケットテッシュ、ファイル、Ｂ５，Ａ４，Ｂ４の写真用コピー用紙、大型角封筒等にバーコードを印刷し、顧客が要望した提供品のバーコードをＰＯＳレジスタのスキャナでスキャンし、その後顧客がＰＯＳレジスタのマルチリーダライタに電子マネーをかざして、ポイントを引き落として精算できる様にし、顧客の利便性を高める。【００１５】店頭にラミネ−タ機を設置し、顧客からの要望でラミネ−ト加工サービスを行い、電子マネーからポイントを引き落として精算する。【００１６】店頭に、ＩＣカードリーダライタとタッチパネルと操作部とプリンタと制御手段と通信手段を備えたＡＴＭの様な複合電話機に携帯機器充電機と電話機を設置し、電子マネーに付与したポイントを引き落として顧客の携帯機器の充電サービスと設置した電話機を、最寄りの警察署、市役所、病院、タクシー会社等に接続するサービスを提供し顧客の利便性を高める。【００１７】複合電話機の通信手段に携帯電話機能を設け、顧客が地図情報を必要なときは、複合電話機のＩＣカードリーダライタに電子マネーを差し込み、訪問先の店名や住所を入力すると、タッチパネルに地図情報を表示し印刷して顧客の利便性を高める【００１８】複合電話機の通信手段をインターネットに接続して、顧客がＩＣカードリーダライタに電子マネーを差し込み、タッチパネルでネット通販のホームページに接続し商品を注文し、プリンタで申し込み票を印刷し、後日店頭で受け取るときにＰＯＳレジスタのスキャナで、申し込み票のバーコードと商品のバーコードを、スキャンして顧客の確認を行い精算し商品を受け取るようにして、顧客の利便性を高める。【００１９】既存の新聞や雑誌の広告に、コンビニエンスストア−等専用の数字を表示し、顧客が複合電話機のＩＣカードリーダライタに電子マネーを差し込み操作部で専用数字を入力して、広告主のホームページに接続し商品を注文しプリンタで申し込み票を印刷し、後日店頭で受け取るときにＰＯＳレジスタのスキャナで、申し込み票のバーコードと商品のバーコードを、スキャンして顧客の確認を行い精算して、商品を受け取るようにし顧客の利便性を高める。【００２０】店頭や家庭にＩＣカードリーダライタとタッチパネルとプリンタと操作部と制御手段と通信手段を備えたＡＴＭの様な箱に、血圧計、放射温度計心電計、体重計、体脂肪率計等を備えた、身体複合測定機を設置して、店頭や自宅で気軽に血圧や体重を測定し、測定値を健康管理サーバに登録して、顧客が測定値の変化を知るシステムを構築して、顧客が健康な生活を送る手助けをし、顧客の利便性を高める。【００２１】身体複合測定機に、半導体ガスセンサーを使用した口臭測定機と匂いセンサーを使用した体臭測定機を設置し、顧客が口臭や体臭が気になるときに自己チェックできる様にし、顧客の利便性を高める。【００２２】頭痛患者が、頭痛ダイアリーを作成し頭痛の誘因を探る手助けの為、携帯電話の画面で頭痛ダイアリーを作成できる様にし、作成した頭痛ダイアリーを健康管理サーバに送信して登録する。後日身体複合測定機や医療機関の情報端末に頭痛ダイアリーを分析した結果を表示し、頭痛が始まる状況を表示して頭痛の治療の手助けをし、顧客の利便性を高める。【００２３】パソコンソフトで歩数管理ができる、ポケットイン歩数計を接続するＵＳＢコネクタ接続端子を身体複合測定機に設置し、測定結果を健康管理サーバに登録し、また、分析結果をタッチパネルに表示し、印刷して顧客の健康管理の手助けをして、顧客の利便性を高める。【００２４】医療機関と提携して、医療機関の情報端末から電子マネ−の顧客識別情報と暗唱番号の入力で健康管理サーバに接続し、顧客の血液型や血圧や病歴を登録する。後日国内または、海外で病気に掛かったときに医療機関の情報端末から電子マネーの顧客識別情報と暗唱番号の入力で健康管理サーバに接続し、医師が血液型や病歴を知り治療するシステム構築して顧客の利便性を高める。【００２５】保険会社と提携して、店頭や家庭の身体複合測定機から、電子マネーの顧客識別情報と暗唱番号の入力で、旅行保険に入れるようにして、顧客の利便性を高める。【００２６】各国のコンビニエンスストア−等の本部が提携して、同じシステムを構築して、電子マネーを使用したサービスを、各国で提供し顧客の利便性を高める。
【発明の効果】
【００２７】以上説明したように、本発明の電子マネーを使用したサービスシステムは電子マネーに付与したポイントと電子マネーの決済機能を利用して、売り手の都合で１００円以上の価格でセット販売されている、ポケットテッシュ、ファイル、Ａ４，Ｂ４サイズの角封筒、Ｂ５，Ａ４，Ｂ４サイズの写真用コピ−用紙等を、必要な時に必要な数だけ、一袋や一枚から提供できるので顧客の利便性が高まる、また店頭のコピー機でＢ５，Ａ４，Ｂ４サイズのきれいな写真コピーが取れるので、喜ばれる。【００２８】出先に於いて、携帯機器の電池が切れたときに、店頭で充電できるので顧客の利便性が高まる、【００２９】携帯電話が普及している現代に於いても、店頭にタクシーを呼ぶ、近隣の医療機関の休日や診療時間を知る、訪問先の道順を知る等については、相手先の電話番号が分からず困るので、店頭の複合電話機で、タクシーを呼ぶ、タッチパネルに地図を表示する等、顧客の利便性が高まる。【００３０】顧客が店頭の複合電話機のＩＣカードリーダライタに電子マネーを差し込み、ＡＴＭの要領でタッチパネルの通販表示に触れて、ホームページを表示して、商品を注文しまた、電子マネーに記憶された顧客識別情報と暗唱番号の入力で注文を確定し、申し込み票をプリンタで印刷して、後日商品を店頭で受け取る時に、商品のバーコードと申し込み票のバーコードをスキャンして、本人確認を行い精算し、商品を受け取れるので、だれもがインターネットショッピングができる様になる。【００３１】新聞や雑誌の広告の一部に、複合電話機専用の数字を表示し、顧客がＩＣカードリーダライタに電子マネーを差し込み、専用数字を入力するとタッチパネルに広告のホームページを表示し、商品の注文ができるのでだれもが簡単にインターネットショッピングができる様になる。また、広告主にとり、フリーダイヤル、ＦＡＸ，はがき、インタ−ネットに次ぐ新たな販売チャンネルの確保ができる。また、手数料収入は、コンビニエンスストア−等で、新たな収入源と成る。【００３２】店頭や家庭の身体複合測定機の、ＩＣカードリ−ダライタに電子マネ−を差し込み血圧や体重を測定し、測定値をタッチパネルに表示し、暗唱番号の入力で健康管理サーバに登録し、データの管理を行うことで、顧客が簡単に健康に関するデータを、利用できるので顧客の利便性が高まる。【００３３】他人から口臭や体臭を指摘されても、本人は気がつかず困るので店頭や家庭で簡単に口臭や体臭を自己チェックできると、顧客の利便性が高まる。【００３４】頭痛予防の要点は、自分がどんな時に頭痛になるか、誘因を見つけることが重要で、そのための手段として頭痛ダイアリーを付け、頭痛の誘因、音、匂い、天気等を見つけて避けることで頭痛の発作の頻度が減る。そこで携帯電話の画面で頭痛ダイアリーを付けて、健康管理サーバに送信して登録し、後日分析結果を身体複合測定機のタッチパネルに表示し、また、印刷し、顧客が頭痛発生の誘因を知る事ができるので顧客の利便性が高まる。【００３５】身体複合測定機にＵＳＢコネクタ接続端子を設けて、顧客がパソコンで歩数管理ができるポケットイン歩数計を接続して、歩数、消費カロリー、歩行距離、脂肪燃焼量等をタッチパネルにグラフで表示し、また、同時に体重や血圧を測定して、健康管理サーバに測定値を登録し、経年変化をタッチパネルに表示し印刷するので、顧客の運動管理が便利になり顧客のの利便性が高まる。【００３６】国内や海外で病気に掛かったときに、医療機関の情報端末から、健康管理サーバに接続し、医者が顧客の健康データや病歴を知り治療でき、また保険会社のサーバに接続し保険内容を確認し、治療が行えるので顧客の利便性が高まる。【００３７】顧客が、電子マネーで海外でも国内と同じサービスを受けられて、顧客の利便性が高まる。
【発明を実施するための最良の形態】
【００３８】以下、図面等を参照しながら、本発明の実施の形態について、更に詳しく説明する。図１に示す様に店頭のＰＯＳレジスタ１にマルチリーダライタ４を設置し、顧客が希望のサービスを申し込むと、提供品の１２バーコード１３をスキャナ５でスキャンし、顧客がＰＯＳレジスタ１のマルチリーダライタ４に電子マネー１１をかざして、電子マネー１１に記憶されたポイントを引き落として精算する。【００３９】店頭にラミネ−タ機１４を設置し、顧客がラミネ−ト加工を申し込むとＰＯＳレジスタ１のタッチパネル７のラミネ−ト表示に指で触れ、顧客がＰＯＳレジスタのマルチリーダライタ４に電子マネー１１をかざし、電子マネー１１に記憶されたポイントを引き落として精算し、ラミネ−ト加工サービスを提供する。【００４０】ＡＴＭの様な複合電話機１５に、制御手段１６、通信手段１７、記憶部１９を設置して、顧客がＩＣカードリーダライタ１８に電子マネ−を差し込み、タッチパネル２１の充電表示に指で触れ、携帯機器２４を充電機２３に接続し，電子マネー１１からポイントを引き落として充電する。【００４１】顧客が複合電話機１５のＩＣカードリーダライタ１８に電子マネー１１を差し込み、受話器２６を取り上げるとタッチパネル２１に最寄りの警察署市役所、大使館、病院、タクシー会社等を表示して、表示に指で触れると電話部２５を最寄りの機関に接続し、電子マネー１１からポイントを引き落として精算する。【００４２】顧客が複合電話機１５のＩＣカードリーダライタ１８に、電子マネー１１を差し込み、タッチパネル２１の地図表示に指で触れて、訪問先を入力すると、通信手段１７で携帯電話の道案内サイトに接続してタッチパネル２１に地図を表示し、印刷して、電子マネー１１からポイントを引き落として精算する。【００４３】顧客が複合電話機１５のＩＣカードリーダライタ１８に、電子マネ−１１を差し込み、タッチパネル２１の買い物表示に指で触れ、表示された会社名に指で触れると、通信手段１７とネットワーク２７でホームページに接続しタッチパネル２１に表示し、顧客がサービスや商品を注文し、電子マネ−の顧客識別情報と操作部２０での暗唱番号の入力で注文を確定しプリンタ２２で申し込み票２８を印刷する。後日商品を受け取るときに、ＰＯＳレジスタ１のスキャナ５で、申し込み票２８のバーコード２９と商品３０のバーコード３１をスキャンして顧客の確認を行い精算して、顧客が商品３０を受け取る。【００４４】既存の新聞や雑誌の広告３２、または、カタログにコンビニエンスストア−専用の申し込み数字３３を表示する。雑誌の広告を読み商品を購入する顧客は、店頭で複合電話機１５のＩＣカードリーダライタ１８に、電子マネー１１を差し込み、タッチパネル２１の買い物表示に指で触れて操作部２０で専用申し込み数字３３を入力して広告のホームページに接続し、商品３０を注文し、電子マネー１１の顧客識別情報と操作部２０での暗唱番号の入力で注文を確定し、プリンタ２２で申し込み票２８を印刷する。また、後日商品を受け取るときに、ＰＯＳレジスタ１のスキャナ５で申し込み票２８のバーコード２９と商品３０のバーコード３１をスキャンして顧客の確認を行い精算し、顧客が商品３０を受け取る。【００４５】店頭に、ＩＣカードリーダライタ３９とタッチパネル４０と操作部４１とプリンタ５０と制御手段３５と通信手段３８と記憶部３７を設置した店頭用身体複合測定機３４に、血圧計４２、放射温度計４３、心電計４５、体重計４６、体脂肪率計４７、半導体ガスセンサー４８、匂いセンサー４９、ポケットイン歩数計ＵＳＢコネクタ接続端子５１を備え、ＩＣカードリーダライタ３９に電子マネー１１を差し込むと身体複合測定機３４が起動しタッチパネル４０に、測定を表示し顧客が測定表示に指で触れて各項目を測定するとタッチパネル４０に測定値を表示し、印刷する。またタッチパネル４０の健康管理サーバ３６表示に指で触れて、通信手段３８でネットワーク２７に接続し健康管理サーバ３６に、電子マネー１１の顧客識別情報と操作部４１での暗唱番号入力で測定値を登録する。また後日医療機関の情報端末５４で、顧客がＩＣカ−ドリ−ダライタ５８に電子マネ−１１を差し込み、暗唱機器５７で暗唱番号を入力しネットワーク２７で健康管理サ−バ３６に接続し、顧客の測定値を知り治療する。【００４６】ＩＣカードリーダライタ６４とタッチパネル６５とプリンタ７５と操作部６６と制御手段６１と記憶部６２と通信手段６３を備えた家庭用身体複合測定機６０に、血圧計６７、放射温度計６８、心電計６９、体重計７０体脂肪率計７１、血糖測定器７２、半導体ガスセンサー７３、匂いセンサー７４、ポケットイン歩数計ＵＳＢコネクタ接続端子７６を備え、顧客がＩＣカードリーダライタ６４に電子マネー１１を差し込むと、身体複合測定機６０が起動しタッチパネル６５に測定を表示し、測定表示に指で触れて、各項目を測定しタッチパネル６５に測定値を表示し、印刷する。またタッチパネル６５の健康管理サーバ表示に指で触れて、通信手段６３とネットワーク２７で健康管理サーバ３６に接続し、操作部６６で暗唱番号を入力し、測定値を健康管理サーバに登録する。【００４７】店頭や家庭の身体複合測定機３４や６０に、半導体ガスセンサ−４８、７３と匂いセンサー４９、７４を設置して、顧客が口臭や体臭が気になるときに、自己チェックできる様にする。【００４８】頭痛患者が、頭痛の誘因を知る為に作成する頭痛ダイアリーを携帯画面から作成できる様に、頭痛を感じたその場で携帯電話５３の画面で日時、曜日、時間、場所、天気、匂い、音、人間関係等の状況をチェックして、健康管理サーバ３６に送信して登録する。後日店頭の身体複合測定機３４のＩＣカードリーダライタ３９に電子マネー１１を差し込みまたは、家庭用身体複合測定機６０のＩＣカードリーダライタ６４に電子マネー１１を差し込み、タッチパネル４０や６５の頭痛表示に指で触れ操作部４１や６６で暗唱番号を入力し、健康管理サーバ３６に接続し頭痛の誘因を分析して表示し印刷する。また、後日医療機関の情報端末５４のＩＣカ−ドリ−ダライタ５８に電子マネー１１を差し込み暗唱機器５７での暗唱番号の入力で健康管理サーバ３６に接続し頭痛の誘因を知る。【００４９】身体複合測定機３４や６０に、ポケットイン歩数計５２を接続するＵＳＢコネクタ接続端子５１や７６を設置し顧客が、ＩＣカ−ドリーダライタ３９やＩＣカードリーダライタ６４に電子マネーを差し込みポケットイン歩数計５２を端子５１や７６に接続するとタッチパネル４０や６５に、一日の歩数、消費カロリー、歩行距離等を表示し、また、タッチパネル４０や６５の測定表示に指で触れて、血圧や体重や体脂肪率等を測定してタッチパネル４０や６５に表示し、操作部４１や６６で暗唱番号を入力し通信手段３８や６３で健康管理サーバ３６に接続し経年変化をタッチパネル４０や６５に表示し、また、印刷する．【００５０】医療機関と提携して、医療機関の情報端末５４のＩＣカードリーダライタ５８に顧客の電子マネー１１を差し込み、暗唱機器５７で暗唱番号を入力して、ネットワーク２７で健康管理サーバ３６に接続し顧客の血液型、血圧、病歴等を登録する。後日病気に掛かったときに、医療機関の情報端末５４のＩＣカードリーダライタ５８に顧客の電子マネー１１を差し込み暗唱機器５７で暗唱番号を入力してネットワ−ク２７で健康管理サ−バ３６に接続して、顧客の血液型や血圧や病歴を知り治療する。【００５１】保険会社と提携して、旅行の前に店頭や家庭の身体複合測定機３４、６０からネットワーク２７で保険会社のサーバ７７に接続し、タッチパネル４０、６５に保険画面を表示し、タッチパネル４０、６０で保険条件を登録し、電子マネー１１の顧客識別情報と操作部４１、６６からの暗唱番号の入力で保険に入り保険証７８をプリンタ５０、７５で印刷する。
顧客が海外で、事故や病気に掛かったときに、医療機関の情報端末５４のＩＣカードリーダライタに、電子マネー１１を差し込み、暗唱機器５７で暗証番号を入力し、保険会社のサーバ７７に接続し、保険を確認して治療する。
【産業上の利用可能性】
【００５２】店頭に設置された、ＡＴＭの様に使用されて顧客の利便性が高まる。
【図面の簡単な説明】
【００５３】
【図１】本発明の実施例によるポイントサービスシステムのＰＯＳレジスタの概要を示す図である。
【図２】本発明の実施例によるポイントサービスシステムの複合電話機の概要を示す図である。
【図３】本発明の実施例によるポイントサービスシステムの店頭用身体複合測定機の概要を示す図である。
【図４】本発明の実施例によるポイントサービスシステムの家庭用身体複合測定機の概要を示す図である。
【符号の説明】
【００５４】１    ＰＯＳレジスタ
２    制御手段
３    記憶部
４    マルチリーダライタ
５    スキャナ
６    操作部
７    タッチパネル
８    表示部
９    プリンタ
１０  通信手段
１１  電子マネー
１２  提供品
１３  バーコード
１４  ラミネ−タ機
１５  複合電話機
１６  制御手段
１７  通信手段
１８  ＩＣカードリーダライタ
１９  記憶部
２０  操作部
２１  タッチパネル
２２  プリンタ
２３  充電機
２４  携帯機器
２５  電話部
２６  受話器
２７  ネットワーク
２８  申し込み票
２９  バーコード
３０  商品
３１  バーコード
３２  広告
３３  専用数字
３４  店頭用身体複合測定機
３５  制御手段
３６  健康管理サーバ
３７  記憶部
３８  通信手段
３９  ＩＣカードリーダライタ
４０  タッチパネル
４１  操作部
４２  血圧計
４３  放射温度計
４５  心電計
４６  体重計
４７  体脂肪率計
４８  半導体ガスセンサ−
４９  匂いセンサ−
５０  プリンタ
５１  ＵＳＢコネクタ接続端子
５２  ポケットイン歩数計
５３  携帯電話
５４  医療機関情報端末
５５  制御手段
５６  通信手段
５７  暗唱機器
５８  ＩＣカ−ドリ−ダライタ
５９  操作部
６０  家庭用身体複合測定機
６１  制御手段
６２  記憶部
６３  通信手段
６４  ＩＣカードリーダライタ
６５  タッチパネル
６６  操作部
６７  血圧計
６８  放射温度計
６９  心電計
７０  体重計
７１  体脂肪率計
７２  血糖測定器
７３  半導体ガスセンサー
７４  匂いセンサー
７５  プリンタ
７６  ＵＳＢコネクタ接続端子
７７  保険会社サ−バ
【図１】
2008282368.tif 000003
【図２】
2008282368.tif 000004
【図３】
2008282368.tif 000005
【図４】
2008282368.tif 000006